(57)【特許請求の範囲】
【請求項１】
収納体の開閉可能な長方形状の開口部の閉じたとき当接する両開口縁部に短い筒状の係合筒体を位置をずらしてそれぞれ固着し、これら係合筒体は、前記開口部が閉じたとき係合筒体の透孔が相互に一直線状をなす様に形成され、交差部が回動可能に枢着した２本の棒状体の下端部に、一直線状となった前記係合筒体の前記透孔内を共通に挿通可能な係止横杆を回動可能に突設すると共に、前記交差部の上方の前記両棒状体にドアのノブに係合する湾曲部と該湾曲部の上方に施錠用の挿通孔を形成した配送荷物保管装置。
【発明の詳細な説明】
【０００１】
【発明の属する技術分野】
本発明は、不在時に宅配便などの配送荷物を収納保管し、帰宅時に直ちに受取り可能な配送荷物保管装置に関する。
【０００２】
【従来の技術】
駅などに設置されているコインロッカー程の大きさの宅配便受取りボックスが備えられているワンルームマンションが近年出現しているが、普通のマンションや住宅の住人や小人数の事務所などでは不在にすると宅配便などの配送荷物を受取ることができず、不在連絡票により配送業者に連絡をとり、都合の良い時間帯や後日に再配送してもらっているのが一般的である。
【０００３】
【発明が解決しようとする課題】
前述の普通のマンションや住宅の住人や小人数の事務所などでは家や事務所を不在にした時、不在連絡票により業者に連絡しても連絡がうまくとれず、２、３日遅れでようやく配送荷物を受取ることが時々生じ、不在にすると受取人と配送業者双方にとって不都合な問題点があった。
【０００４】
本発明はこのような問題点を解消し、不在にしても帰宅時に直ちに配送荷物を受取ることが可能な配送荷物保管装置を提供することを目的とする。
【０００５】
【課題を解決するための手段】
本発明は上記の目的を達成すべく、収納体の開閉可能な長方形状の開口部の閉じたとき当接する両開口縁部に短い筒状の係合筒体を位置をずらしてそれぞれ固着し、これら係合筒体は、前記開口部が閉じたとき係合筒体の透孔が相互に一直線状をなす様に形成され、交差部が回動可能に枢着した２本の棒状体の下端部に、一直線状となった前記係合筒体の前記透孔内を共通に挿通可能な係止横杆を回動可能に突設すると共に、前記交差部の上方の前記両棒状体にドアのノブに係合する湾曲部と該湾曲部の上方に施錠用の挿通孔を形成したことを特徴とする。
【０００６】
【発明の実施の形態】
本発明の第１の実施の形態を図１乃至図３により説明する。
【０００７】
１は本発明の第１の実施の形態である配送荷物保管装置を示し、該配送荷物保管装置１は収納体である収納袋２と係留手段である係留体３とからなり、配送荷物などを収納袋２に入れて係留体３の第１係止手段によって袋を閉じると共に第２係止手段によって住宅のドアに係止する。
【０００８】
収納袋２は図２に示す如く帆布などの布或いは合成樹脂により形成された袋からなり、その長方形状の開口部の長い方の両側縁部に棒状の閉蓋部材２ａ、２ｂをそれぞれ固着すると共に、該開口部の短い方の側縁部に、これら閉蓋部材２ａ、２ｂの各端間を連結したＶ字形ヒンジ２ｃをそれぞれ固着した。そして図２の如く一方の閉蓋部材２ａの両端部に短い円筒状の係合筒体４ａを固着すると共に、他方の閉蓋部材２ｂの両端部より内方の位置に短い円筒状の係合筒体４ｂを固着した。
【０００９】
前記係留体３は図３の如く略Ｘ字形に中間の交差部３ｂで交差角度可変に交差した２本の頑丈な棒状体３ａからなり、これら棒状体３ａの下端部に第１係止手段であるところの係止横杆５を各々内側に向けて回動可能に設け、又前記交差部３ｂの上方の個所の棒状体３ａを互に対向して凹状に湾曲した湾曲部６ａに形成すると共に該湾曲部６ａの上方の該棒状体３ａに施錠用の挿通孔６ｂを形成し、これら湾曲部６ａと挿通孔６ｂとにより第２係止手段６を構成する。
【００１０】
次に本第１の実施の形態である配送荷物保管装置１の使用方法を説明する。
【００１１】
本発明の配送荷物保管装置１は、不特定多数の人でなく、特に毎週や毎月に何回か定期的に荷物や印刷物が配送されてくる共働きや１人住まいなどの留守勝ちな一般のマンションや住宅や外出の多い１人か２人の小人数の事務所などに適しており、これら住宅や事務所の人と配送業者との間で事前に特定の錠前と合い鍵や合せナンバーが用意されている。
【００１２】
不在時には、先ず配送業者は図２に示す如く収納袋２の開口部を開けて配送荷物Ａを袋内に入れ、次に該収納袋２の開口部を図４の如く閉じると当接する２本の閉蓋部材２ａ、２ｂにそれぞれ固着されている係合筒体４ａ、４ｂが隣り合う位置関係になってこれら係合筒体４ａ、４ｂは左右においてその透孔４ｃが一直線状になる。
【００１３】
そして、左右において一直線状になった隣り合う係合筒体４ａ、４ｂの透孔４ｃに係止横杆５を挿通するとこれに応じて棒状体３ａの交差開度が狭くなり、対向する両湾曲部６ａにおいて住宅のドアのノブＢの細くなった取手軸Ｃの部分を挟むようにして係止し、対向間隔の狭くなり或いは互に当接する両棒状体３ａの挿通孔６ｂに錠前７のロック杆を挿通してロックし、図１に示す如く住宅のドアに配送荷物Ａの収納された収納袋２を吊り下げておく。
【００１４】
その後、帰宅した荷物の受取人である住人が合い鍵や合せナンバーにより開錠して、係留体３を少し拡げてドアのノブＢから外した後更に係留体３を拡げて係止横杆５を係合筒体４の透孔４ｃから抜くと、収納袋２を開口することができて内から配送荷物Ａを取り出すことができる。
【００１５】
この様に受取人が不在の保管期間中は簡単に開口せず、風雨にも丈夫な収納袋２により荷物を安全に保管することができ、もし不在にしたとしても受取人が帰宅すれば直ちに荷物を受け取ることができる。
【００１６】
尚、ドアが外面壁より多少奥まって取付けられている場合には、前記係留体３の棒状体３ａの下方部を手前に曲げて形成することにより外面壁がドアより多少前方に位置しても収納体２は係留体３により容易に吊下げ係止できる。
【００１７】
次に本発明の第２の実施の形態を図５により説明する。
【００１８】
本第２の実施の形態である配送荷物保管装置の係留手段は前記第１の実施の形態と全く同様の機能であるが、荷物を収納する収納体が袋から箱になったことが特徴であり、印刷物や比較的軽い小荷物の保管に適している。
【００１９】
図５は開口した状態を示し、本第２の実施の形態の収納体である収納箱１２は丈夫な合成樹脂製或いは金属製で上方に斜めの開口部を有する長方体状の箱本体１２ａとその正面板の上端にヒンジ１２ｂにより枢着して前記開口部を開閉する蓋体１２ｃとからなり、該蓋体１２ｃの先端縁部の両端部に短い円筒状の係合筒体４ａを固着すると共に背面板の上端縁部の両端部より内方位置に短い円筒状の係合筒体４ｂを固着した。
【００２０】
かくて、不在時には、配送業者は配送荷物を該収納箱１２内に入れて蓋体１２ｃを閉じると、該蓋体１２ｃと箱本体１２ａの背面板とに交互に位置をずらして固着した左右の前記係合筒体４ａ、４ｂの透孔４ｃが一直線状となり、前記第１の実施の形態と同様にこれら係合筒体４ａ、４ｂの透孔４ｃに前記係留体３の第１係止手段である係止横杆５を挿入し、第２係止手段６の対向する両湾曲部６ａを住宅のドアのノブに係止して施錠して保管し、受取人が帰宅して開錠し直ちに配送荷物を受け取ることができる。
【００２１】
この実施の形態の収納箱１２は、閉じた時蓋体１２ｃが斜めとなってその上端で係留されることにより、該収納箱１２の後面がドアに面しているので安定して係留することができる。
【００２２】
次に本発明の第３の実施の形態を図６により説明する。
【００２３】
本第３の実施の形態である配送荷物保管装置の係留手段は前記第１の実施の形態と全く同様の機能であるが、荷物を収納する収納体が袋から保冷箱になったことが特徴であり、新鮮な海産物や毎週数回配達されるカロリー制限食材や特定の栄養食材や１人住まい用のレトルト食材などの定期的な配送荷物の保冷保管に適している。
【００２４】
本第３の実施の形態の収納保冷箱２２は、市販の保冷ボックスをそのまま流用するか或いは同様の保冷機能を有し、図６に示す如く箱本体２２ａの上方開口部の前縁部の両端部に短い円筒状の係合筒体４ａを固着すると共に該上方開口部の後縁部に枢着した蓋体２２ｂの前縁部の両端部より内方位置に短い円筒状の係合筒体４ｂを固着した。
【００２５】
受取人の在宅、不在宅に関係なく配送荷物を収納保冷箱２２内に当初より収納して配達し、不在であれば、前記第１の実施の形態と同様に該収納保冷箱２２の前面の交互に位置をずらした左右の前記係合筒体４に前記係留体３の第１係止手段である係止横杆５を挿入すると共に第２係止手段６の対向する両湾曲部６ａを住宅のドアのノブに係止して施錠して保管し、その後、受取人が帰宅して開錠し直ちに保冷された配送荷物を受け取ることができる。
【００２６】
尚、該収納保冷箱２２を住宅のドアのノブに係留するとき、ドアへの当り傷や擦り傷を防止すると共に、ゴムなどの摩擦材２３を該収納保冷箱２２の後面部に補助係留手段として付着して、揺れたりする係留状態を安定させることができる。
【００２７】
この第３の実施の形態では、在宅、不在宅に関係なく当初から配送荷物は収納保冷箱２２に収納されているので、保冷状態で食材などを直ちに受け取ることができる。
【００２８】
【発明の効果】
このように本発明によると不在時には、配送荷物を丈夫な袋などに収納しこの収納体の開口部を閉じた状態で係止すると共に住宅のドアに係止して収納保管することにより、受取人が帰宅して直ちに受け取ることができ、従来の如く受取人からの連絡により再度配送する必要がなく、配送の効率化が図れる効果を有する。
【図面の簡単な説明】
【図１】本発明の第１の実施の形態の使用状態の斜視図である。
【図２】要部の収納袋の開口状態の斜視図である。
【図３】要部の係留体の斜視図である。
【図４】収納袋の閉じた状態の斜視図である。
【図５】本発明の第２の実施の形態の収納箱の開口状態の斜視図である。
【図６】本発明の第３の実施の形態の閉じた状態の斜視図である。
【符号の説明】
１          配送荷物保管装置
２          収納体
２ａ、２ｂ  閉蓋部材
２ｃ        ヒンジ
３          係留手段
３ａ        棒状体
３ｂ        交差部
４          係合筒体
５          第１係止手段
６          第２係止手段
６ａ        湾曲部
６ｂ        挿通部
Ｂ          ノブ
【図１】
0004038374.tif 000002
【図２】
0004038374.tif 000003
【図３】
0004038374.tif 000004
【図４】
0004038374.tif 000005
【図５】
0004038374.tif 000006
【図６】
0004038374.tif 000007